(57)【要約】【課題】見映えがよく、アンテナに完全な静電気対策を施すことができ、小型化が可能な可動式アンテナ及びそれを備えた電子機器の提供。【解決手段】縦軸１３、中間軸受金具１４及び横軸１５とからなるユニバーサルジョイントを備え、断面Ｕ字状の中間軸受金具１４の回動基盤部２０を縦軸１３の先端に回動自在に支持させるとともに、中間軸受金具１４の両横軸支持片部２１，２１に横軸１５を貫通させて支持させ、両横軸支持片部２１，２１間に絶縁駒２２を挿入し、中間軸受金具１４の底面及び両横軸支持片部２１，２１の対向面の背面側を除く部分を覆わせ、アンテナ本体１６を中間軸受金具１４の両横軸支持片部２１，２１の対向面の背面側に回動自在に支持させ、アンテナ本体の外側に、絶縁材の絶縁鞘部材３０を被せるとともに、一対の絶縁軸受片部３１，３１を横軸１５により中間軸受金具１４に枢着させ、絶縁軸受片部３１によりアンテナ本体軸受片部２８の両外面側及び中間軸受金具横軸支持片部２１の両外面側を覆う。【選択図】　　図３
2004128983.tif 000002
【特許請求の範囲】
【請求項１】
絶縁材からなるアンテナ支持部に支持させた導電性の縦軸と、該縦軸に対し、これを中心軸として回動自在に取り付けられた導電性の中間軸受金具と、該中間軸受金具に前記縦軸と直交配置に支持させた横軸とからなるユニバーサルジョイントを備え、前記中間軸受金具に対し、前記横軸を中心軸として回動自在にアンテナ本体を取り付け、前記縦軸とアンテナ本体とを前記ユニバーサルジョイントを介して導通させてなる可動式アンテナにおいて、
前記中間軸受金具は、平板状の回動基盤部と、該回動基盤部の両縁をそれぞれ同じ側に立ち上がらせた一対の横軸支持片部とを一体に有する断面Ｕ字形に形成され、
該中間軸受金具の回動基盤部を前記縦軸の先端に回動自在に支持させるとともに、前記両横軸支持片部に前記横軸を貫通させて支持させ、
前記中間軸受金具の両横軸支持片部間に絶縁材からなる中間軸受金具用の絶縁駒を挿入し、該絶縁駒により中間軸受金具の底面及び両横軸支持片部の対向面の背面側を除く部分を覆わせ、
前記アンテナ本体には基端部側に一対の平行な軸受片部を一体に備え、該軸受片部を前記中間軸受金具の両横軸支持片部の対向面の背面側に接触させて前記横軸を中心軸にして回動自在に支持させ、
該アンテナ本体の外側に、絶縁材を持って成形され、一端側が開放した有底筒状の絶縁鞘部材を被せ、該絶縁鞘部材の開放端側に一対の絶縁軸受片部を備え、該絶縁軸受片部を前記横軸により中間軸受金具に枢着させ、該絶縁軸受片部により前記アンテナ本体軸受片部の両軸受片対向面の背面側及び前記中間軸受金具横軸支持片部の両対向面の背面側を覆わせたことを特徴としてなる可動式アンテナ。
【請求項２】
前記縦軸の先端をアンテナ支持部の平らな表面に突出させて固定し、該縦軸の先端にフランジ状の抜け止め頭部を形成するとともに、前記中間軸受金具の回動基盤部に、その一辺側から中央部分にかけてＵ字形の凹陥部を形成し、該凹陥部を前記縦軸の頭部下に嵌合させ、かつ前記絶縁駒によって前記凹陥部に嵌合された縦軸を抜け止めさせてなる請求項１に記載の可動式アンテナ。
【請求項３】
縦軸先端の頭部は、アンテナ支持部からの突出部分の根元部に環状凹溝を形成することによって設けてなる請求項２に記載の可動式アンテナ。
【請求項４】
アンテナ本体の基端部側に一体に設けた両軸受片部に導電性のバネ材を使用し、該両軸受片によって前記中間軸受金具の両横軸支持片部外面側を弾性的に挟持させることにより導電接触圧及び回動摩擦抵抗を持たせてなる請求項１，２又は３に記載の可動式アンテナ。
【請求項５】
横軸は絶縁材により形成され、一端側にフランジ状の頭部を有するとともに、他端側に先端側を細くしたテーパ部と該テーパ部の基端側に抜け止め用段部を形成し、前記絶縁鞘部材の各絶縁軸受片部の横軸貫通孔に、前記横軸の頭部が嵌り合う拡径部及び抜け止め用係止段部を備えてなる請求項１〜３又は４に記載の可動式アンテナ。
【請求項６】
請求項１乃至５のいずれかに記載の可動式アンテナを備えた電子機器。
【発明の詳細な説明】
【０００１】
【発明の属する技術分野】
本発明は、主にＰＣカード型携帯通信装置等の電子機器に用いられる可動式アンテナ及びそれを備えた電子機器に関する。
【０００２】
【従来の技術】
従来、ＰＣカード型携帯通信装置や携帯電話等の通信装置には、電波を送受信するためのアンテナが設けられており（特許文献１を参照）、このアンテナとして、図１０に示す如き可動式アンテナを用いることによって、電波の送受信やアンテナの収納にとって最適なアンテナ位置を得ることができるようになっている（特許文献２を参照）。
【０００３】
この可動式アンテナ１は、アンテナ支持部２に支持させた導電性の縦軸３と、縦軸３に対し、これを中心軸として回動自在に取り付けられた導電性の中間軸受金具４と、中間軸受金具４に縦軸３と直交配置に支持させた横軸５とからなるユニバーサルジョイントを備え、アンテナ支持部２を携帯通信装置等の電子機器に保持させるとともに、中間軸受金具４に対し、横軸５を中心軸として回動自在にアンテナ本体６を取り付けることによって、アンテナ本体６が電波の送受信等に合わせて向きを変えることができるようになっている。
【０００４】
しかし、これらのユニバーサルジョイントを構成する中間軸受金具４等の部品は強度や各部品との電気的接続を鑑みて導電性の金属部材により形成され、中間軸受金具４とアンテナ本体６との連結部分は、金属が剥き出しになった状態になっており、そこに静電気が帯電された人体等より静電気が放電されると、この可動式アンテナ１に導通した電子機器回路等が破壊されるおそれがある。
【０００５】
そこで、例えば、図１１に示すように、アンテナの金属部が剥き出しになった部分を蛇腹等の絶縁材からなる被覆材７によって覆う等して静電気対策を施している。
【０００６】
【特許文献１】
特開２００１−３３９２１１号公報（図４）
【０００７】
【特許文献２】
特開平０８−２６５０２５号公報（第０００２段落〜第０００９段落、図１０、図１１）
【０００８】
【発明が解決しようとする課題】
しかし、上述のように外部に露出した金属部分を蛇腹等の絶縁性の被覆材によって覆うことにより、アンテナ全体が嵩張ってしまうのでアンテナ及びアンテナを装着する電子機器の小型化が阻害されるという問題があり、また、アンテナ及びアンテナを装着する電子機器の見映えも悪くなるという問題があった。
【０００９】
本発明は、このような従来の技術の状況を鑑み、見映えが良く、アンテナに完全な静電気対策を施すことができ、小型化が可能な可動式アンテナ及びそれを備えた電子機器の提供を目的とする。
【００１０】
【課題を解決するための手段】
上述の如き従来の問題を解決し、所期の目的を達成するための請求項１の発明は、絶縁材からなるアンテナ支持部に支持させた導電性の縦軸と、該縦軸に対し、これを中心軸として回動自在に取り付けられた導電性の中間軸受金具と、該中間軸受金具に前記縦軸と直交配置に支持させた横軸とからなるユニバーサルジョイントを備え、前記中間軸受金具に対し、前記横軸を中心軸として回動自在にアンテナ本体を取り付け、前記縦軸とアンテナ本体とを前記ユニバーサルジョイントを介して導通させてなる可動式アンテナにおいて、前記中間軸受金具は、平板状の回動基盤部と、該回動基盤部の両縁をそれぞれ同じ側に立ち上がらせた一対の横軸支持片部とを一体に有する断面Ｕ字形に形成され、該中間軸受金具の回動基盤部を前記縦軸の先端に回動自在に支持させるとともに、前記両横軸支持片部に前記横軸を貫通させて支持させ、前記中間軸受金具の両横軸支持片部間に絶縁材からなる中間軸受金具用の絶縁駒を挿入し、該絶縁駒により中間軸受金具の底面及び両横軸支持片部の対向面の背面側を除く部分を覆わせ、前記アンテナ本体には基端部側に一対の平行な軸受片部を一体に備え、該軸受片部を前記中間軸受金具の両横軸支持片部の対向面の背面側に接触させて前記横軸を中心軸にして回動自在に支持させ、該アンテナ本体の外側に、絶縁材を持って成形され、一端側が開放した有底筒状の絶縁鞘部材を被せ、該絶縁鞘部材の開放端側に一対の絶縁軸受片部を備え、該絶縁軸受片部を前記横軸により中間軸受金具に枢着させ、該絶縁軸受片部により前記アンテナ本体軸受片部の対向面の背面側及び前記中間軸受金具横軸支持片部の両対向面の背面側を覆わせたことを特徴とする。
【００１１】
このように構成することによって、外部に金属部分を露出させることがなく、好適に静電対策がなされ、アンテナの小型化が可能となり、見映えもよい。
【００１２】
請求項２の発明は、請求項１の構成に加え、前記縦軸の先端をアンテナ支持部の平らな表面に突出させて固定し、該縦軸の先端にフランジ状の抜け止め頭部を形成するとともに、前記中間軸受金具の回動基盤部に、その一辺側から中央部分にかけてＵ字形の凹陥部を形成し、該凹陥部を前記縦軸の頭部下に嵌合させ、かつ前記絶縁駒によって前記凹陥部に嵌合された縦軸を抜け止めさせることを特徴とする。
【００１３】
このように構成することによって、縦軸に対する中間軸受金具の取り付けが容易となり、組み立てを容易に行うことができるとともに、絶縁材を兼ねることとなる部品の数が少なくなる。
【００１４】
請求項３の発明は、請求項２の構成に加え、縦軸先端の頭部が、アンテナ支持部からの突出部分の根元部に環状凹溝を形成することによって設けることを特徴とする。
【００１５】
このように構成することによって、中間軸受金具の回動基盤部を好適に縦軸に支持させることができる。
【００１６】
請求項４の発明は、請求項１、２又は３の構成に加え、アンテナ本体の基端部側に一体に設けた両軸受片部に導電性のバネ材を使用し、該両軸受片によって前記中間軸受金具の両横軸支持片部外面側を弾性的に挟持させることにより導電接触圧及び回動摩擦抵抗を持たせたことを特徴とする。
【００１７】
このように構成することにより、中間軸受金具に対してアンテナ本体を回動させた際に、アンテナ本体を任意の位置で回動を止めることができ、アンテナ本体を中間軸受金具に対して好適に電気的接続することこができる。
【００１８】
請求項５の発明は、請求項１〜３又は４の構成に加え、横軸は絶縁材により形成され、一端側にフランジ状の頭部を有するとともに、他端側に先端側を細くしたテーパ部と該テーパ部の基端側に抜け止め用段部を形成し、前記絶縁鞘部材の各絶縁軸受片部の横軸貫通孔に、前記横軸の頭部が嵌り合う拡径部及び抜け止め用係止段部を備えることを特徴とする。
【００１９】
このように構成することにより、外部に金属部を露出させることなく中間軸受金具にアンテナ本体を好適に枢支させることができる。
【００２０】
請求項６の発明は、電子機器が請求項１乃至５のいずれかに記載の可動式アンテナを備えたことを特徴とする。
【００２１】
このように構成することにより、ＰＣカード型携帯通信装置や携帯電話機等の携帯通信装置に限らず、その他のアンテナを使用する全ての電子機器において、完全な静電対策が施された可動式アンテナによって、電波の送受信を行うことができる。
【００２２】
【発明の実施の形態】
次に、本発明に係る可動式アンテナの実施の形態を図について説明する。
【００２３】
図１は可動式アンテナの使用状態の一例を示し、符号１０はＰＣカード型携帯通信装置等の電子機器、１１は可動式アンテナである。
【００２４】
可動式アンテナ１１は、絶縁材からなるアンテナ支持部１２に支持させた導電性の縦軸１３と、縦軸１３に対し、これを中心軸として回動自在に取り付けられた導電性の中間軸受金具１４と、中間軸受金具１４に縦軸１３と直交配置に支持させた横軸１５とからなるユニバーサルジョイントを備え、アンテナ支持部１２をＰＣカード型携帯通信装置等の電子機器１０に保持させるとともに、中間軸受金具１４に対し、横軸１５を中心軸として回動自在にアンテナ本体１６を取り付けることによって、電波の送受信やアンテナの収納等にとって最適なアンテナ位置を得ることができるようになっている。
【００２５】
ユニバーサルジョイントを構成する横軸１５は、絶縁材により形成され、図４に示すように、一端側にフランジ状の頭部１７を備え、他端側に先端側を細くしたテーパ部１８とテーパ部の基端側に抜け止め用の段部１９が形成されている。
【００２６】
中間軸受金具１４は、図５に示すように、導電性を有する金属部材によって形成された平板状の回動基盤部２０と、回動基盤部２０の両側縁より同じ側に立ち上がらせた横軸支持片部２１，２１とを一体に有する断面Ｕ字状に形成されている。
【００２７】
この中間軸受金具１４の両横軸支持片部２１，２１間には、絶縁駒２２が挿入され、これによって、回動基盤部２０の底面及び両横軸支持片部２１，２１の外側面（両横軸支持片部の対向面の背側面）を除く部分が覆われている。
【００２８】
回動基盤部２０には、中心の円孔を一方の側縁に向かって延長した形状、即ち一側縁より中央部分にかけてのＵ字形に形成された凹陥部２３が設けられ、この凹陥部２３にアンテナ支持部１２より突出した導電性の縦軸１３が嵌り込むことによって、回動基盤部２０をアンテナ支持部１２に対して回転自在且つ抜け止め不能に支持させるようになっている。
【００２９】
両横軸支持片部２１，２１には、ユニバーサルジョイントを構成する横軸１５が挿通される横軸挿通孔２４が形成されている。
【００３０】
絶縁駒２２は、絶縁材により形成され、円盤の外周面の一部を切り欠いて底面を形成した形状になっている。
【００３１】
この円盤状の中心部分に横軸１５が挿通される挿入孔２６が貫通開口されている。
【００３２】
この絶縁駒２２の両側面には、中間軸受金具１４の横軸支持片部２１，２１が嵌合される支持片部嵌合用の凹部２５，２５が形成され、絶縁駒２２の底面には、縦軸１３の先端部分が挿入される抜け止め用穴２２ａが形成されている。
【００３３】
この中間軸受金具１４は、図６に示すように、絶縁駒２２を中間軸受金具１４の両横軸支持片部２１，２１間に挿入すると、該両横軸支持片部２１，２１が凹部２５，２５に嵌り込み、回動基盤部２０の下面及び各横軸支持片部２１，２１の外側面（対向面の背側面）を除いた部分が絶縁駒２２によって覆われるようになっている。
【００３４】
また、絶縁駒２２を中間軸受金具１４の両横軸支持片部２１，２１間に挿入すると、回動基盤部縁部が覆われるとともに、縦軸１３の先端部分が抜け止め用穴２２ａに挿入され、縦軸１３に対する回転基盤部２０の回転半径方向の動きが規制され、抜け止めがなされるようになっている。
【００３５】
この絶縁駒２２は、中間軸受金具１４の両横軸支持片部２１，２１間に挿入させた状態で、横軸１５を横軸支持片部２１、絶縁駒２２、横軸支持片部２１を貫いて挿通させることによって中間軸受金具１４に対して縦軸軸心方向の抜け止めがなされるようになっている。
【００３６】
アンテナ本体１６は、図８に示すように、薄長板状の本体部２７と、本体部２７の端部両側縁に突設された互いに対向する一対の平行な軸受片部２８，２８とを導電性のバネ材により一体に形成し、この各軸受片部２８，２８の突端部間を狭めて形成することにより、両軸受片部２８，２８に中間軸受金具１４の両横軸支持片部２１，２１の外側面を弾性的に挟持することができるようになっている。また、この軸受片部２８には、横軸１５が挿通される挿通孔２９が形成されている。
【００３７】
また、アンテナ本体１６は、両軸受片部２８，２８に中間軸受金具１４の両横軸支持片部２１，２１の外側面を弾性的に挟持させた状態で中間軸受金具１４に横軸１５を回転中心にして回動自在に支持させることによって、中間軸受金具１４に対して電気的に接続されるとともに、軸受片部２８が横軸支持片部２１の外側面に対して好適な導電接触圧と、回動摩擦抵抗を得るようになっており、これによりユニバーサルジョイントを介して縦軸１３に導通されるようになっている。
【００３８】
このアンテナ本体１６の外側には、図７に示すように、絶縁材からなる一端側が開放した有底筒状の絶縁鞘部材３０を被せ、アンテナ本体１６が外部に露出しないようにしている。
【００３９】
この絶縁鞘部材３０の基端部には、互いに対向する一対の絶縁軸受片部３１，３１が形成され、この絶縁軸受片部３１，３１の中央部には横軸が枢支される横軸貫通孔３２，３２が形成され、この横軸貫通孔３２には、横軸１５の頭部１７が互いに嵌り合う拡径部３３及び抜け止め用の段部３４がそれぞれ形成されている。
【００４０】
尚、アンテナ本体１６に絶縁鞘部材３０を被せると、絶縁軸受片部３１，３１の対向面側にアンテナ本体１６の軸受片部２８，２８が絶縁軸受片部３１の対向面に沿うように配置されるようになっている。
【００４１】
アンテナ支持部１２は、図９に示すように、樹脂成型により絶縁材からなる直方体状に形成され、ＰＣカード型携帯通信装置１０の取付部分に嵌り込み、携帯通信装置１０に保持されるようになっている。
【００４２】
このアンテナ支持部１２には、ユニバーサルジョイントを構成する導電性の縦軸１３が、アンテナ支持部の平らな表面に突出させて固定されるとともに、携帯通信装置１０に内蔵された電子回路に接続される接続用部材３５が、縦軸１３と接続された状態に固定されている。
【００４３】
縦軸１３は、先端にフランジ状の抜け止め頭部３６が形成されており、この抜け止め頭部３６は、縦軸１３のアンテナ支持部からの突出部分の根元部に、回動基盤部２０の凹陥部２３の幅（即ち中心の円孔部の直径）と円環の直径が略同径の環状凹溝３７を形成することにより形成されている。
【００４４】
この環状凹溝３７に凹陥部２３を嵌め込むことによって、回動基盤部２０の凹陥部２３周縁が抜け止め頭部３６下に当接し、回動基盤部２０を縦軸１３に対して、回転自在且つ軸心方向で抜け止め不能にすることができ、且つ電気的にも接続されるようになっている。
【００４５】
また、この抜け止め頭部３６は、縦軸１３、中間軸受金具１４及び絶縁駒２２を組み込んだ際に、絶縁駒２２の底面に形成された抜け止め用穴２２ａに挿入され、縦軸１３に対する回転基盤部２０の縦軸１３の回転半径方向の抜け止めがなされるようになっている。
【００４６】
接続用部材３５としては、電子機器回路に接続された相手側と互いに接続して導通するコネクタ等を用い、アンテナ支持部１２をＰＣカード型携帯通信装置１０に取り付けることによって、該接続用部材３５が電子機器回路に接続された相手側と導通されるようになっている。
【００４７】
尚、図中符号３８は、弾性材からなるＯリングであり、このＯリング３８によって中間軸受金具１４のアンテナ支持部１２に対する回転動作に抵抗を持たせ、任意の位置で回転を止めることができるようになっている。
【００４８】
この可動式アンテナ１１では、回動基盤部の底面が、縦軸１３が突設されたアンテナ支持部１２の平な表面１２ａによって覆われるようになっており、アンテナ本体１６を覆う絶縁鞘部材３０の絶縁軸受片部３１，３１によりアンテナ本体軸受片部２８，２８の両外面側（両軸受片対向面の背面側）及び中間軸受金具横軸支持片部２１，２１の両外面側（両対向面の背面側）を覆わせるようになっている。
【００４９】
即ち、重なり合って互いに導通されたアンテナ本体軸受け片部２８と中間軸受金具横軸支持片部２１とを金属部が外部に露出しないように絶縁鞘部材３０の絶縁軸受片部３１によって覆うようになっている。
【００５０】
従って、この可動式アンテナ１１では、外部に露出した金属部分がなく、静電対策が成されるようになっている。
【００５１】
尚、上述の実施例では、本発明に係る可動式アンテナをＰＣカード型携帯通信装置に適応させた例について説明したが、本発明に係る可動式アンテナは、その他、携帯電話機等の携帯通信装置をはじめ、アンテナを使用する全ての電子機器について適応させることができる。
【００５２】
【発明の効果】
上述のように、本発明に係る可動式アンテナは、回動基盤部の底面がアンテナ支持部の平らな表面によって覆われ、横軸支持片部の外側面及びアンテナ本体の軸受片部とが、互いに接触した状態で絶縁鞘部材の絶縁軸受片部によって覆われるので、外部に金属部分を露出させることがなく、見映えが良く、完全な静電対策がなされ、アンテナの小型化も可能となる。
【００５３】
また、縦軸先端にフランジ状の抜け止め頭部を形成するとともに、前記中間軸受金具の回動基盤部に、その一辺側から中央部分にかけてＵ字形の凹陥部を形成し、該凹陥部を前記縦軸の頭部下に嵌合させ、かつ前記絶縁駒によって前記凹陥部に嵌合された縦軸を抜け止めさせることによって、縦軸に対する中間軸受金具の取り付けが容易となり、組み立てを容易に行うことができるとともに、絶縁材を兼ねることとなる部品の数が少なくなる。
【００５４】
更に、縦軸先端の頭部が、アンテナ支持部からの突出部分の根元部に環状凹溝を形成することによって設けることによって、回転基盤部を好適に縦軸に支持させることができ、回動基盤部を抜け止めする為の部品を他に必要としないので小型化が可能となる。
【００５５】
アンテナ本体の基端部側に一体に設けた両軸受片部に導電性のバネ材を使用し、該両軸受片によって前記中間軸受金具の両横軸支持片部外面側を弾性的に挟持させることにより、中間軸受金具に対してアンテナ本体を回動させた際に、アンテナ本体を任意の位置で回動を止めることができ、アンテナ本体を中間軸受金具に対して好適に電気的接続することができる。
【００５６】
横軸は絶縁材により形成され、一端側にフランジ状の頭部を有するとともに、他端側に先端側を細くしたテーパ部と該テーパ部の基端側に抜け止め用段部を形成し、前記絶縁鞘部材の各絶縁軸受片部の横軸貫通孔に、前記横軸の頭部が嵌り合う拡径部及び抜け止め用係止段部を備えることにより、外部に金属部を露出させることなく中間軸受金具にアンテナ本体を好適に枢支させることができる。
【図面の簡単な説明】
【図１】本発明に係る可動式アンテナを利用した携帯型通信装置を示す斜視図である。
【図２】（ａ）は図１中の可動式アンテナを示す平面図、（ｂ）は同側面図である。
【図３】同上のＡ−Ａ線断面図である。
【図４】図２中の横軸を示す平面図である。
【図５】図２中のユニバーサルジョイントを示す分解斜視図である。
【図６】（ａ）は中間軸受金具に絶縁駒を挿入した状態を示す側面図、（ｂ）は同縦断面図である。
【図７】図２中のアンテナ本体の被覆状態を示す横断面図である。
【図８】（ａ）は同上のアンテナ本体を示す平面図、（ｂ）は同側面図である。
【図９】図２中のアンテナ支持部を示す正面図である。
【図１０】（ａ）は従来の可動式アンテナの一例を示す側面図、（ｂ）は同正面図である。
【図１１】同上の可動式アンテナに静電対策を施した状態を示す斜視図である。
【符号の説明】
１０　電子機器（ＰＣカード型携帯通信装置）
１１　可動式アンテナ
１２　アンテナ支持部
１３　縦軸
１４　中間軸受金具
１５　横軸
１６　アンテナ本体
１７　頭部
１８　テーパ部
１９　段部
２０　回動基盤部
２１　横軸支持片部
２２　絶縁駒
２２ａ　抜け止め用穴
２３　凹陥部
２４　横軸挿通孔
２５　凹部
２６　挿通孔
２７　本体部
２８　軸受片部
２９　挿通孔
３０　絶縁鞘部材
３１　絶縁軸受片部
３２　横軸貫通孔
３３　拡径部
３４　段部
３５　接続用部材
３６　抜け止め頭部
３７　環状凹溝
３８　Ｏリング
【図１】
2004128983.tif 000003
【図２】
2004128983.tif 000004
【図３】
2004128983.tif 000005
【図４】
2004128983.tif 000006
【図５】
2004128983.tif 000007
【図６】
2004128983.tif 000008
【図７】
2004128983.tif 000009
【図８】
2004128983.tif 000010
【図９】
2004128983.tif 000011
【図１０】
2004128983.tif 000012
【図１１】
2004128983.tif 000013